(57)【要約】【課題】高温水と水との混合を確実として小型の湯水混合装置を提供することを目的とする。【解決手段】装置本体４の湯水流入口１０より流入した湯水と水流入口１１より流入した水を混合する混合室１５に攪拌混合体１４を配置し、この下流側に混合後の湯水が流出する湯水流出口１２，１３を設けたものである。攪拌混合体１４は周壁に複数のスリット孔１６を形成した筒部１７の下流側に攪拌羽根１８を一体的に設けた構成となっている。【選択図】図１
2007277872.tif 000002
【特許請求の範囲】
【請求項１】
湯水流入口より流入した湯水と水流入口より流入した水を混合する混合室を有するとともに、この混合後の湯水が流出する湯水流出口を設けた装置本体と、前記混合室に配置された攪拌混合体とを具備し、湯水流入口より流入した湯水と水流入口より流入した水を攪拌混合体を介して混合室で強制混合した後、湯水流出口より流出させるようにした湯水混合装置。
【請求項２】
混合室に対して湯水流入口より流入した湯水と水流入口より流入した水とが交差するごとくそれら流入方向を設定した請求項１記載の湯水混合装置。
【請求項３】
攪拌混合体は複数の攪拌羽根を有する請求項１記載の湯水混合装置。
【請求項４】
筒状をなす装置本体の長手方向に湯水流入口と水流入口との一方を、直径方向に他方をそれぞれ形成して、湯水流入口より流入した湯水と水流入口より流入した水とが混合室で交差するように設定してこの交差部位に攪拌混合体を配置し、かつ前記攪拌混合体は、筒部と、この筒部の下流側に位置する攪拌羽根とで構成するとともに、前記筒部の周壁には湯水または水が通過する複数のスリット孔を形成した請求項１記載の湯水混合装置。
【請求項５】
筒状をなす装置本体の長手方向に湯水流入口と水流入口との一方を、直径方向に他方をそれぞれ形成して、湯水流入口より流入した湯水と水流入口より流入した水とが混合室で交差するように設定してこの交差部位に攪拌混合体を配置し、かつ前記攪拌混合体は、筒部と、この筒部の下流側に位置する攪拌羽根とで構成するとともに、前記筒部の周壁は混合室内壁と間隔をおいて位置させ、湯水または水の一方がこの間隔を介して筒部に流入するようにした請求項１記載の湯水混合装置。
【請求項６】
攪拌混合体の筒部と攪拌羽根とを一体的に構成した請求項４または５記載の湯水混合装置。
【発明の詳細な説明】
【技術分野】
【０００１】
本発明は、例えば、給湯源の湯水と水道水とを混合して給湯端末に供給するための湯水混合装置に関するものである。
【背景技術】
【０００２】
例えば、ヒートポンプ式の温水器にあって、その貯湯タンクに８０℃〜９０℃の高温水を貯めておき、実際の給湯時にはこの高温水と水道水とを混合して所望の温水となし給湯端末（カラン、浴槽、或いは暖房用放熱器など）へ供給するようにしていた。
【０００３】
図６は従来の湯水混合装置の基本的なものを示すもので、円筒状の装置本体５１の一端に給湯源からの湯水流入口５２が、周壁の上流側に水道水などの水流入口５３が形成してあり、それら湯水流入口５２からの湯水と水流入口５３からの水とが内部の混合室５４で混合され、下流側の他端、および周壁の湯水流出口５５，５６から送出されるようにしていた。
【０００４】
そして、各湯水流出口５５，５６には温度センサ５７，５８が設置してあって、その検知結果にもとづき湯水流入口５２からの湯水およびまたは水流入口５３からの水の量が制御されてそれぞれ所望の温度の湯水が供給されるようにしてあった（例えば、特開平５−１１８５７２号公報参照）。
【特許文献１】特開平５−１１８５７２号公報
【発明の開示】
【発明が解決しようとする課題】
【０００５】
しかしながら、このような湯水混合装置では、湯水流入口５２からの湯水および水流入口５３からの水の異なる流入方向の違いのみで混合室５４で混合されることとなるため、混合作用が弱く、湯水流出口５５，５６から供給される湯水温度にむらが生起しやすいものであった。そのために湯水流出口５５，５６のそれぞれに温度センサ５７，５８を設けなければならなかった。
【０００６】
また、混合を充分に行なおうとすると長さの大きい装置本体５１が必要となり、施工面などで不都合があった。
【０００７】
本発明はこのような従来の課題を解決したもので、湯水流入口および水流入口から流入した湯水と水道水などの混合を確実となすとともに、装置本体の小型化を推進した湯水混合装置を提供しようとするものである。
【課題を解決するための手段】
【０００８】
前記目的達成のため、本発明の湯水混合装置は、湯水流入口より流入した湯水と水流入口より流入した水を混合する混合室を有するとともに、この混合後の湯水が流出する湯水流出口を設けた装置本体と、前記混合室に配置された攪拌混合体とを具備し、湯水流入口より流入した湯水と水流入口より流入した水を攪拌混合体を介して混合室で強制混合した後、湯水流出口より流出させるようにしたもので、湯水と水の混合を良好とすることができるものである。
【発明の効果】
【０００９】
本発明の湯水混合装置は、湯水と水の混合が確実に行なわれるものであり、所望の温度の湯水が得られ、しかも装置そのものも小型化できるものである。
【発明を実施するための最良の形態】
【００１０】
本発明の湯水混合装置は、湯水流入口より流入した湯水と水流入口より流入した水を混合する混合室を有するとともに、この混合後の湯水が流出する湯水流出口を設けた装置本体と、前記混合室に配置された攪拌混合体とを具備し、湯水流入口より流入した湯水と水流入口より流入した水を攪拌混合体を介して混合室で強制混合した後、湯水流出口より流出させるようにした。
【００１１】
それを実施するための形態としては、混合室に対して湯水流入口より流入した湯水と水流入口より流入した水とが交差するごとくそれら流入方向を設定してこの交差部位の下流側に攪拌混合体を配置したものである。
【００１２】
したがって、湯水流入口より流入した湯水と水流入口より流入した水とは先ずそれらの交差で予混合され、次いで、攪拌混合体を介して強制混合されることとなる。
【００１３】
攪拌混合体は複数の攪拌羽根を有する。また、筒状をなす装置本体の長手方向に湯水流入口と水流入口との一方を、直径方向に他方をそれぞれ形成して、湯水流入口より流入した湯水と水流入口より流入した水とが混合室で交差するように設定してこの交差部位に攪拌混合体を配置し、かつ前記攪拌混合体は、筒部と、この筒部の下流側に位置する攪拌羽根とで構成するとともに、前記筒部の周壁には湯水または水が通過する複数のスリット孔を形成した。
【００１４】
そのため、湯水または水は複数のスリット孔から中心方向に進行して衝突混合し、その後攪拌羽根でさらに強制混合される。
【００１５】
前記スリット孔に代わり、前記筒部の周壁を混合室内壁と間隔をおいて位置させ、湯水または水の一方がこの間隔を介して筒部に流入するようにしてもよい。
【００１６】
好ましくは、攪拌混合体の筒部と攪拌羽根とを一体的に構成すれば、組み立て面などにおいて有利であろう。
【００１７】
以下その実施の形態を添付した図面を参照して説明する。なお、本実施の形態によって本発明が限定されるものではない。
【００１８】
（実施の形態１）
図１〜図３において、先ず全体の給湯システムを説明すると、水道などの給水路１を流動する水は、熱源、例えば、バーナ２で加熱される熱交換器３で加熱されて高温の湯水となって湯水混合装置４に至り、また、給水路１の途中から分岐された水路５も湯水混合装置４に接続されている。
【００１９】
湯水混合装置４で所望の温度となった湯水は、台所、洗面所、浴室などのカランへの給湯路６、風呂追炊用熱交換器７、温水暖房用熱交換器８（総称して給湯端末）へ供給される。給湯端末のうち、風呂追炊用熱交換器７、温水暖房用熱交換器８からの復路は再度熱交換器３に循環するようにしてあり、勿論、この場合、給水路１の上流側への逆流防止手段が併設してある。
【００２０】
前記湯水混合装置４は、筒状の装置本体９の上流側一端と周壁に熱交換器３からの高温水の入口となる湯水流入口１０と、周壁に水路５からの水の入口となる水流入口１１とを、また、下流側他端と周壁に所望の温度となった湯水の出口となる湯水流出口１２，１３とをそれぞれ形成するとともに、攪拌混合体１４を内部に配置した構成となっている。
【００２１】
そして、一方の湯水流出口１３が風呂追炊用熱交換器７と温水暖房用熱交換器８とに接続され、他方の湯水流出口１２が給湯路６に連なっている。
【００２２】
装置本体９の内部において、湯水流入口１０より流入した湯水と水流入口１１より流入した水とが混合する混合室１５が形成してあって、ここに先の攪拌混合体１４が配置してある。
【００２３】
攪拌混合体１４は、周壁に複数のスリット孔１６を形成した筒部１７の下流側に攪拌羽根１８を一体的に設けた構成となっている。攪拌混合体１４の下流側に位置して温度センサ１９が設けてある。
【００２４】
前記の構成において、熱交換器３からの高温水は装置本体９の湯水流入口１０より混合室１５に長手方向に流動し、一方、水路５からの水は水流入口１１から攪拌混合体１４のスリット孔１６を介して混合室１５の中心方向に流動する。これら流れ方向の違いによって混合室１５では高温水と水とが予混合され、次いで攪拌羽根１８で強制的に混合され、温度的にむらのない所望の温度の湯水となる。
【００２５】
したがって、温度センサ１９は各給等端末、すなわち台所、洗面所、浴室などのカラン、風呂追炊用熱交換器７、温水暖房用熱交換器８へ至る湯水温度を的確に検知して、バーナ２の燃焼出力を制御できることとなる。
【００２６】
熱交換器３の熱源としてはバーナ２に特定されることはなく、他に電熱によるもの、冷媒回路によるヒートポンプ式のものなどが考えられる。
【００２７】
（実施の形態２）
図４，５は本発明の実施の形態２を示し、実施の形態１と同一作用を行なう構成については同一符号を付し、詳細な説明は実施の形態１のものを援用する。
【００２８】
実施の形態１と異なるところを説明する。湯水混合装置４の攪拌混合体２０は、周壁を無孔状とした筒部２１の下流側に攪拌羽根２２を一体的に設けた構成となっており、前記筒部２１の外周には水流入口１１から流入してきた水が流動する間隔２１が設定してある。
【００２９】
したがって、前記間隔２１を上昇する水は湯水流入口１０から流入してきた高温水と合流して予混合され、次いで攪拌羽根１８で強制的に混合され、温度的にむらのない所望の温度の湯水となる。
【００３０】
以上実施の形態１，２によれば、高温水と水の混合が確実で１個の温度センサ１９を設けるだけでよく、また装置全体としても小型化できるものである。
【産業上の利用可能性】
【００３１】
以上のように本発明にかかる湯水混合装置は、湯水と水の混合が確実に行なわれるものであり、所望の温度の湯水が得られ、しかも装置そのものも小型化できるもので、一般家庭での給湯システムへの利用が可能である。
【図面の簡単な説明】
【００３２】
【図１】本発明の実施の形態１における給湯システムの全体概念図
【図２】同湯水混合装置の断面図
【図３】（ａ）は同湯水混合装置の装置本体の斜視図、（ｂ）は攪拌混合体の斜視図
【図４】本発明の実施の形態２における湯水混合装置の断面図
【図５】同攪拌混合体の断面図
【図６】従来の湯水混合装置の断面図
【符号の説明】
【００３３】
４  湯水混合装置
１０  湯水流入口
１１  水流入口
１２，１３  湯水流出口
１４  攪拌混合体
１５  混合室
１６  スリット孔
１７，２１  筒部
１８  攪拌羽根
２２  間隔
【図１】
2007277872.tif 000003
【図２】
2007277872.tif 000004
【図３】
2007277872.tif 000005
【図４】
2007277872.tif 000006
【図５】
2007277872.tif 000007
【図６】
2007277872.tif 000008